(57)【特許請求の範囲】
【請求項１】
長手方向に長く短手方向に短い細長の空気吹出口を有し、該空気吹出口の内側の通風路内に該短手方向に風向を変える前可動ルーバが配設され、該前可動ルーバの上流側に該長手方向に風向を変える後可動ルーバが配設されたレジスタにおいて、
該後可動ルーバの上流側に奥可動ルーバが該短手方向に風向を変えるために配設され、
該奥可動ルーバは、該通風路内の両内側面に沿って、第１奥フィン及び第２奥フィンが長手方向と平行な支軸を介して回動可能に軸支され、
該第１奥フィン及び第２奥フィンは、該通風路内の両内側面に形成された内側凹部に、各々収納可能に配設され、
該前可動ルーバは、２枚または３枚の前フィンが長手方向と平行な支軸を介して回動可能に軸支されるとともに、該通風路壁側の２枚の該前フィンが該通風路内に形成された内側凹部に、各々収納可能に配設され、
短手方向に風向を変える場合、該第１奥フィンまたは該第２奥フィンの何れか一方を短手方向に回動させる一方、他方の該第２奥フィンまたは該第１奥フィンを該通風路と平行に保持し、且つ該奥可動ルーバが振られる短手方向と逆の方向に前記前可動ルーバを回動して、風向を短手方向に変えることを特徴とするレジスタ。
【請求項２】
長手方向に長く短手方向に短い細長の空気吹出口を有し、該空気吹出口の内側の通風路内に該短手方向に風向を変える前可動ルーバが配設され、該前可動ルーバの上流側に該長手方向に風向を変える後可動ルーバが配設されたレジスタにおいて、
該後可動ルーバの上流側に奥可動ルーバが該短手方向に風向を変えるために配設され、
該奥可動ルーバは、該通風路内に１枚の奥フィンが長手方向と平行な支軸を介して回動可能に軸支され、
該前可動ルーバは、２枚の前フィンが、該通風路内に形成された内側凹部に、各々収納可能に配設されるとともに、該長手方向と平行な支軸を介して回動可能に軸支され、
風向を短手方向に変える場合、該１枚の奥フィンを短手方向に回動させ、且つ該奥可動ルーバが振られる短手方向と逆の方向に前記前可動ルーバを回動して、風向を短手方向に変えることを特徴とするレジスタ。
【発明の詳細な説明】
【技術分野】
【０００１】
本発明は、自動車等の空調の空気吹出口に使用される空気吹出調整用のレジスタに関し、特に長手方向に長く短手方向に短い細長の空気吹出口を有し、空気吹出口の内側に長手方向に沿って少数のフィンを設けた薄型レジスタに好適なレジスタに関する。
【背景技術】
【０００２】
この種の空気吹出調整用のレジスタとして、通風路を形成するベゼルまたはリテーナ内に、横可動ルーバと縦可動ルーバを前後して直交するように配設し、ベゼルに設けた空気吹出口から空気を吹き出す際、横可動ルーバ、縦可動ルーバの各フィンの角度を変えて空気の吹出し方向を調整するレジスタが、一般に、自動車の空調などで使用されている。【０００３】
近年、自動車用の空調に使用されるレジスタでは、長手方向に長く短手方向に短い細長の空気吹出口を有し、空気吹出口の内側に１〜３枚程度の少数の前可動フィンを設けた薄型レジスタが、主として意匠性やデザイン的なデマンドから製作される場合がある。このような薄型レジスタは、例えば下記特許文献１などで知られている。
【先行技術文献】
【特許文献】
【０００４】
【特許文献１】特開２００２−１０３９５４号公報
【発明の概要】
【発明が解決しようとする課題】
【０００５】
細長の空気吹出口を有する薄型レジスタは、長手方向に長く短手方向に短い細長の空気吹出口の内側に、枚数が１〜３枚程度の前可動フィンが長手方向に沿って配置され、前可動フィンの上流側に後可動フィンが前可動フィンと直交する短手方向に配置される。しかし、薄型レジスタはその空気吹出口が長手方向に長く短手方向に短い細長形状であるが故に、通風路から空気吹出口に向けて送風される空気流が短手方向に圧縮されて縮流が発生しやすく、特に、その縮流によって、後可動フィンを長手方向に振った際の風の指向性が悪化しやすいという現象が生じていた。【０００６】
すなわち、従来の薄型レジスタは、通常、図１１に示すように、レジスタのケース本体７０内に形成された通風路７１の前部に長手方向に長く短手方向に短い細長で長方形状の空気吹出口７２が設けられ、空気吹出口７２の内側に、枚数の少ない例えば３枚の前可動フィン７３が長手方向に沿って配置され、その前可動フィン７３の上流側に、枚数の多い後可動フィン７４が前可動フィン７３と直交する方向に配置された構造となっている。【０００７】
しかし、このような薄型レジスタは、図１１の如く、空気吹出口７２が長手方向に長く短手方向に短い細長形状であるが故に、通風路７１から空気吹出口７２に向けて送風される空気流が短手方向に圧縮されて縮流が発生しやすく、特に、後可動フィン７４を左右につまり長手方向に振ったとき、後可動フィン７４と前可動フィン７３間の近傍で、空気流の縮流つまり上下短手方向に圧縮された空気の流れが発生しやすい。【０００８】
このため、前可動フィン７３を上下に振った状態で、後可動フィン７４を左右につまり長手方向に振ったとき、空気流の方向が縮流によって戻されることにより、風が曲がりにくく、後可動フィン７４の向きを変えたときの風の指向性が悪化しやすいという課題があった。【０００９】
本発明は、上記の点に鑑みてなされたもので、長手方向に長く短手方向に短い細長の空気吹出口を有し、空気吹出口の内側に可動ルーバを設けた薄型レジスタであっても、風の指向性を向上させることができるレジスタを提供することを目的とする。
【課題を解決するための手段】
【００１０】
本発明者は、上記構造のレジスタについて鋭意開発研究を行なった結果、下流側の可動ルーバを回動させたときに生じる風の変流は、空気流の縮流と偏向から構成され、下流側の縮流が大きいと、上流側の可動ルーバを回動させて風を変流させたとき、その変流が戻される現象が生じ、上流側の可動ルーバによる風向の指向性が低下しやすいことを知見し、下記の発明に至った。【００１１】
すなわち、本発明に係るレジスタは、
長手方向に長く短手方向に短い細長の空気吹出口を有し、該空気吹出口の内側の通風路内に該短手方向に風向を変える前可動ルーバが配設され、該前可動ルーバの上流側に該長手方向に風向を変える後可動ルーバが配設されたレジスタにおいて、
該後可動ルーバの上流側に奥可動ルーバが該短手方向に風向を変えるために配設され、
該奥可動ルーバは、該通風路内の両内側面に沿って、第１奥フィン及び第２奥フィンが長手方向と平行な支軸を介して回動可能に軸支され、
該第１奥フィン及び第２奥フィンは、該通風路内の両内側面に形成された内側凹部に、各々収納可能に配設され、
該前可動ルーバは、２枚または３枚の前フィンが長手方向と平行な支軸を介して回動可能に軸支されるとともに、該通風路壁側の２枚の該前フィンが該通風路内に形成された内側凹部に、各々収納可能に配設され、
短手方向に風向を変える場合、該第１奥フィンまたは該第２奥フィンの何れか一方を短手方向に回動させる一方、他方の該第２奥フィンまたは該第１奥フィンを該通風路と平行に保持し、且つ該奥可動ルーバが振られる短手方向と逆の方向に前記前可動ルーバを回動して、風向を短手方向に変えることを特徴とする。
【００１２】
この発明によれば、例えば、前可動ルーバを短手方向の斜め下方に向けた場合、奥可動ルーバはその逆の斜め上方を向くため、通風路を流れる空気流は、先ず奥可動ルーバにより短手方向の斜め上方に曲げられて縮流され、縮流された状態で後可動ルーバを通り、そこで後可動ルーバの向きに応じて長手方向に風向を変え、その状態で、空気流は次に前可動ルーバを通り短手方向の斜め下方に偏向されて曲げられ、空気吹出口から送風される。【００１３】
このため、短手方向（例えば上下）に風向を変える変流部は、奥可動ルーバの部分が縮流部となり、前可動ルーバの部分が偏向部となって、風向を短手方向の斜め下方に曲げる際の変流動作が、奥可動ルーバによる縮流と前可動ルーバによる偏向に分割されることとなる。【００１４】
このために、空気流が後可動ルーバから前可動ルーバを通過する際、縮流（圧縮された空気の流れ）が減少し、それにより、後可動ルーバを回動して風向を長手方向に変える際、風向が縮流により戻される現象が低減される。このため、長手方向に長く短手方向に短い細長の空気吹出口を有した薄型のレジスタであっても、前可動ルーバの向きを短手方向に振った状態で、後可動ルーバの向きを長手方向に振ったとき、縮流により風が戻されることがなく、後可動ルーバの向きに応じて風向を良好に変え、風の指向性を向上させることができる。【００１５】
また、第１奥フィン及び第２奥フィンが、通風路内の両内側面に形成された内側凹部に、各々収納可能に配設されるので、第１奥フィンまたは第２奥フィンが空気流の縮流動作を行わない場合、内側凹部に第１奥フィンまたは第２奥フィンを収納させ、これにより送風時の圧力損失を低減することができる。
【００１６】
また、別のレジスタは、
長手方向に長く短手方向に短い細長の空気吹出口を有し、該空気吹出口の内側の通風路内に該短手方向に風向を変える前可動ルーバが配設され、該前可動ルーバの上流側に該長手方向に風向を変える後可動ルーバが配設されたレジスタにおいて、
該後可動ルーバの上流側に奥可動ルーバが該短手方向に風向を変えるために配設され、
該奥可動ルーバは、該通風路内に１枚の奥フィンが長手方向と平行な支軸を介して回動可能に軸支され、
該前可動ルーバは、２枚の前フィンが、該通風路内に形成された内側凹部に、各々収納可能に配設されるとともに、該長手方向と平行な支軸を介して回動可能に軸支され、
風向を短手方向に変える場合、該１枚の奥フィンを短手方向に回動させ、且つ該奥可動ルーバが振られる短手方向と逆の方向に前記前可動ルーバを回動して、風向を短手方向に変えることを特徴とする。
【００１７】
この発明のレジスタによれば、上記と同様、短手方向（例えば上下）に風向を変える変流部は、奥可動ルーバの部分が縮流部となり、前可動ルーバの部分が偏向部となって、風向を短手方向の斜め下方に曲げる際の変流動作が、奥可動ルーバによる縮流と前可動ルーバによる偏向に分割されることとなる。【００１８】
このために、上記と同様、空気流が後可動ルーバから前可動ルーバを通過する際、縮流（圧縮された空気の流れ）が減少し、それにより、後可動ルーバを回動して風向を長手方向に変える際、風向が縮流により戻される現象が低減される。このため、長手方向に長く短手方向に短い細長の空気吹出口を有した薄型のレジスタであっても、前可動ルーバの向きを短手方向に振った状態で、後可動ルーバの向きを長手方向に振ったとき、縮流により風が戻されることがなく、後可動ルーバの向きに応じて風向を良好に変え、風の指向性を向上させることができる。
【発明の効果】
【００２５】
本発明のレジスタによれば、前可動ルーバまたは奥可動ルーバの向きを短手方向に振った状態で、後可動ルーバの向きを長手方向に振ったとき、縮流により風が戻されることがなく、後可動ルーバの向きに応じて風向を良好に変え、風の指向性を向上させることができる。
【図面の簡単な説明】
【００２６】
【図１】本発明の第１実施形態を示すレジスタの正面図である。
【図２】同レジスタの縦断面図である。
【図３】同レジスタのIII-III断面図である。
【図４】風向を短手方向下に向けたときの縦断面図である。
【図５】風向を短手方向上に向けたときの縦断面図である。
【図６】前可動ルーバを２枚の前フィンから構成した第２実施形態の縦断面図である。
【図７】奥可動ルーバを１枚の奥フィンから構成した第３実施形態の縦断面図である。
【図８】風向を短手方向上に向けた状態の同実施形態の縦断面図である。
【図９】前可動ルーバに代えて山形凸条を用いた第４実施形態の縦断面図である。
【図１０】風向を短手方向上に向けた状態の同実施形態の縦断面図である。
【図１１】従来のレジスタの断面説明図である。
【発明を実施するための形態】
【００２７】
以下、本発明の実施の形態を図面に基づいて説明する。図１〜図５は第１実施形態のレジスタを示している。レジスタのケース本体１は、薄型の箱状に形成され、その内部には、横断面を薄型の長方形状とした通風路３が形成される。通風路３の末端開口部に空気の導入口が形成され、前面には通風路３を通る空気を吹出すために、横に細長い形状の空気吹出口２が形成され、薄型レジスタを構成している。
【００２８】
つまり、空気吹出口２は、図１、２に示すように、偏平で細長いスリット状に形成され、長手方向（左右方向）に長く短手方向（上下方向）に短い横長の長方形に形成されている。ケース本体１の空気吹出口２の直ぐ内側に、３枚の横フィン４１，４２，４３からなる前可動ルーバ４が回動可能に配設される。
【００２９】
前可動ルーバ４は、３枚の横フィン４１，４２，４３を空気吹出口２の長手方向に沿って、上下に所定の間隔をあけて配置し、各横フィン４１，４２，４３の両側から突出した水平方向の支軸４１ａ，４２ａ，４３ａを、ケース本体１の両側壁に、回動可能に軸支して構成される。前可動ルーバ４の各横フィン４１，４２，４３は、回動機構４６により、図２の状態から図４，５の風向を上下に変える状態まで、同期・連動して回動し、後述の奥可動ルーバ６と協働して上下短手方向に風向を変えるようになっている。
【００３０】
また、図２に示すように、ケース本体１内前部の上壁部及び下壁部には、各々、内側凹部４４，４５が形成され、上の内側凹部４４には上側の横フィン４１が収納可能に配置され、下の内側凹部４５には下側の横フィン４３が収納可能に配置され、風向を下方に振る場合には、図４のように上の横フィン４１を内側凹部４４より内側に出して斜め下方に向け、風向を上方に振る場合には、図５のように下の横フィン４３を内側凹部４５より内側に出して斜め上方に向けるように構成される。
【００３１】
空気吹出口２の前方に真直ぐ送風を行なう場合、図２のように、上下の横フィン４１，４３は内側凹部４４，４５に収納された状態となり、正面送風時の圧力損失を最小としている。前可動ルーバ４の中間位置の横フィン４２は、空気吹出口２の中央長手方向に配設され、上下の横フィン４１，４３と同期・連動して同じ方向に回動する。
【００３２】
前可動ルーバ４の回動機構４６は、手動操作によるリンク機構、歯車機構、或いはモータ駆動機構により構成され、空気吹出口２の前方に真直ぐ送風を行なうとき、中央の横フィン４２を水平とし、且つ上下の横フィン４１，４３を内側凹部４４，４５に収納された状態とし、風向を下方に向けるとき、図４のように中央の横フィン４２を下方に振り、上の横フィン４１を内側凹部４４より内側に出して斜め下方に向け、風向を上方に向けるときには、図５のように中央の横フィン４２を上方に振り、下の横フィン４３を内側凹部４５より内側に出して斜め上方に向けるように構成される。
【００３３】
前可動ルーバ４の上流側の通風路３内、つまり前可動ルーバ４の直ぐ上流側に、後可動ルーバ５が風向を空気吹出口２の長手方向つまり左右方向に風向を変えるために配設される。後可動ルーバ５は、図２，３に示すように、多数の縦フィン５１を長手方向に間隔をおいて並設してなり、多数の縦フィン５１は、上下に突設した支軸５１ａを、通風路３の上側壁と下側壁に設けた軸孔に嵌合し、回動可能に軸支される。
【００３４】
多数の縦フィン５１は、同期・連動して回動するように、下側の支軸５１ａに、クランク５１ｂが取り付けられ、クランク５１ｂの偏位した連結軸５１ｃにはリンクバー５１ｄが連結される。後可動ルーバ５は、回動機構５６により、何れかの支軸５１ａが所定の角度範囲内で回転駆動され、これにより、多数の縦フィン５１が同期・連動して同じ方向に回動し、風向を長手方向つまり左右方向に変える構造である。後可動ルーバ５の回動機構５６としては、操作ノブの操作或いはモータ駆動によるカム或いはクランクの回動により、縦フィン５１の支軸５１ａを回動させる構造とすることができ、操作ノブの回動操作などによって、多数の縦フィン５１の向きが左右に振られ、空気吹出口２の長手方向への風向が変えられるように構成される。
【００３５】
さらに、後可動ルーバ５の直ぐ上流側の通風路３内に、第１奥フィン６１と第２奥フィンからなる奥可動ルーバ６が、前可動ルーバ４と協働して上下短手方向に風向を変えるように配設される。
【００３６】
一般に、前可動ルーバと後可動ルーバを直交方向に配設してなるレジスタにおいては、下流側の前可動ルーバを回動させたときに生じる風の変流は、空気流の縮流と偏向から構成され、前可動ルーバの縮流が大きいと、後可動ルーバを回動して風向を変流させても、その変流が縮流によって戻される現象が生じ、後可動ルーバによる風向の指向性が低下しやすい。
【００３７】
そこで、本レジスタでは、後可動ルーバ５の上流側に配置した奥可動ルーバ６により、空気流を短手方向の上下に圧縮する縮流部をつくり、この奥可動ルーバ６で空気流を上方または下方向に縮流した後、前可動ルーバ４で下方または上方に偏向させることにより、上下の変流を奥可動ルーバ６による縮流と前可動ルーバ４による偏向とに分割する。これにより、後可動ルーバ５と前可動ルーバ４との間で変流が戻される現象を抑制し、後可動ルーバ５を回動して左右方向の風向調整したときの、指向性を改善するようにしている。
【００３８】
奥可動ルーバ６は、第１奥フィン６１と第２奥フィン６２を、空気吹出口２の長手方向に沿って、通風路３内の上部と下部に配置し、第１奥フィン６１，第２奥フィン６２の両側部に突設した水平方向の支軸６１ａ，６２ａを、ケース本体１の両側壁に、回動可能に軸支して構成される。また、奥可動ルーバ６の第１奥フィン６１と第２奥フィン６２は、水平状態において、通風路３内の上壁部及び下壁部に設けた内側凹部６３，６４内に各々収納されるように配設される。これにより、第１奥フィン６１または第２奥フィン６２が空気流の縮流動作を行なわない場合、第１奥フィン６１を内側凹部６３内に、第２奥フィン６２を内側凹部６４内に収納させることができ、これにより送風時の圧力損失を低減するようになっている。
【００３９】
このような奥可動ルーバ６は、前可動ルーバ４が、例えば図４のように斜め下向きに回動し風向を下向きにしたとき、その動作に連動して、第２奥フィン６２が斜め上向きに回動し、逆に前可動ルーバ４が図５のように斜め上向きに回動し風向を上向きにしたとき、その動作に連動して、第１奥フィン６１が斜め下向きに回動するようになっている。
【００４０】
またこのために、奥可動ルーバ６の第１奥フィン６１と第２奥フィン６２の支軸６１ａ、６２ａは、操作ノブ或いはモータ駆動の回動機構６６により回動する構造をとなっており、回動機構６６は、真直ぐ正面方向に送風する場合、図２のように第１奥フィン６１と第２奥フィン６２を水平状態に保持して内側凹部６３，６４内に収納する状態とし、前可動ルーバ４を回動して、風向を上方に振ったとき、図５のように、第１奥フィン６１を下方に向け、前可動ルーバ４を回動して、風向を下方に振ったとき、図４のように、第２奥フィン６２を上方に向けるように構成される。このように、奥可動ルーバ６は、前可動ルーバ４の回動と連動して、第１奥フィン６１または第２奥フィン６２を回動させ、前可動ルーバ４と協働して上下短手方向に風向を変えるようになっている。
【００４１】
すなわち、風向を下に向ける場合、図４のように奥可動ルーバ６は、第２奥フィン６２の先端部を、斜め上方に向けるように、その末端部の支軸６２ａを中心に、図４の時計方向に第２奥フィン６２を回動させ、通風路３内の空気流を上側に縮流させるように動作する。このとき、前可動ルーバ４は、３枚の横フィン４１，４２，４３が斜め下方に向けられるが、このときの変流が奥可動ルーバ６による縮流と前可動ルーバ４による偏向とに分割されて生じ、後可動ルーバ５と前可動ルーバ４との間で後可動ルーバ５による変流が戻される現象を抑制するようになっている。
【００４２】
一方、風向を上に向ける場合、図５のように奥可動ルーバ６は、第１奥フィン６１の先端部を、斜め下方に向けるように、その末端部の支軸６１ａを中心に図５の反時計方向に第１奥フィン６１を回動させ、通風路３内の空気流を下側に縮流させるようになっている。このとき、前可動ルーバ４は、３枚の横フィン４１，４２，４３が斜め上方に向けられるので、上記と同様に、このときの変流が奥可動ルーバ６による縮流と前可動ルーバ４による偏向とに分割され、後可動ルーバ５と前可動ルーバ４との間で後可動ルーバ５による変流が戻される現象を抑制する構造となっている。
【００４３】
上記構成のレジスタは、自動車の車内のインストルメントパネルやダッシュボードの部分に、そのケース本体１の末端を図示しない通風ダクトに接続するようにして装着される。通風ダクトから送られる空気は、ケース本体１の通風路３から空気吹出口２を通して吹き出される。
【００４４】
送風方向をレジスタの真正面とする場合、図２のように、前可動ルーバ４の横フィン４２は通風路３の送風方向と平行とされ、上下の横フィン４１，４３は内側凹部４４，４５に収納され、奥可動ルーバ６の第１奥フィン６１及び第２奥フィン６２は内側凹部６３，６４に収納された状態となる。これにより、空気流は、通風路３内を真直ぐに進み、後可動ルーバ５の縦フィン５１の間を通過し、空気吹出口２から正面前方に真直ぐ吹き出される。
【００４５】
このとき、後可動ルーバ５の各縦フィン５１を左右に回動させると、その方向に風向が変わり、前可動ルーバ４による上下短手方向の変流はないため、空気流の縮流は生じず、左右水平方向に風向を良好に変えて送風することができる。
【００４６】
一方、空気の吹出方向を下方に変える場合、図４のように、前可動ルーバ４の横フィン４１，４２，４３を下方に回動させ、奥可動ルーバ６はその第２奥フィン６２の先端部を上方に向くように回動させる。
【００４７】
これにより、通風路３を流れる空気流は、図４のように、奥可動ルーバ６の第２奥フィン６２により短手方向の斜め上方に曲げられて縮流され、縮流された状態で後可動ルーバ５の縦フィン５１の間を通過し、そこで後可動ルーバ５の向きに応じて長手方向（左右方向）に風向を変え、その状態で、空気流は次に前可動ルーバ４の横フィン４１，４２，４３の間を通り、短手方向の斜め下方に偏向されて曲げられ、空気吹出口２から送風される。
【００４８】
一方、空気の吹出方向を上方に変える場合、図５のように、前可動ルーバ４の横フィン４１，４２，４３を上方に回動させ、奥可動ルーバ６はその第１奥フィン６１の先端部を下方に向くように回動させる。
【００４９】
これにより、通風路３を流れる空気流は、図５のように、奥可動ルーバ６の第１奥フィン６１により短手方向の斜め下方に曲げられて縮流され、縮流された状態で後可動ルーバ５の縦フィン５１の間を通過し、そこで後可動ルーバ５の向きに応じて長手方向（左右方向）に風向を変え、その状態で、空気流は次に前可動ルーバ４の横フィン４１，４２，４３の間を通り、短手方向の斜め上方に偏向されて曲げられ、空気吹出口２から送風される。
【００５０】
このように、短手方向（上下方向）に風向を変える変流部は、奥可動ルーバ６の部分が縮流部となり、前可動ルーバ４の部分が偏向部となって、風向を短手方向の斜め下方または上方に曲げる際の変流動作は、奥可動ルーバ６による縮流と前可動ルーバ４による偏向に分割されることとなる。
【００５１】
このために、空気流が後可動ルーバ５から前可動ルーバ４を通過する際、縮流（圧縮された空気の流れ）が減少し、それにより、後可動ルーバ５を回動して風向を左右長手方向に変える際、風向が縮流により戻される現象が低減される。このため、長手方向に長く短手方向に短い細長の空気吹出口２を有したレジスタであっても、前可動ルーバ４の向きを短手方向に振った状態で、後可動ルーバ５の向きを長手方向に振ったとき、縮流により風が戻されることがなく、後可動ルーバ５の向きに応じて風向を良好に変え、風の指向性を向上させることができる。
【００５２】
図６は第２実施形態のレジスタを示している。この図６の如く、前可動ルーバの枚数は２枚としてもよく、上下２枚の横フィン４１，４３のみからなる前可動ルーバ４を、ケース本体１内前部の上壁部及び下壁部に設けた、内側凹部４４，４５内に収納可能に、支軸４１ａ，４３ａを介して軸支することができる。この図６のレジスタは、特にケース本体１の高さの低い、薄型のレジスタに好適である。
【００５３】
この図６に示すレジスタも、上記と同様に、風向を下方に振る場合には、前可動ルーバ４の上の横フィン４１を、先端部を内側凹部４４より中央側に出して斜め下方に向け、奥可動ルーバ６の第２奥フィン６２の先端を斜め上方に向けて送風する。一方、風向を上方に振る場合には、図５の場合と同様に、前可動ルーバ４の下の横フィン４３を、先端部を内側凹部４５より中央側に出して斜め上方に向け、奥可動ルーバ６の第１奥フィン６１の先端を斜め下方に向けて送風する。このように、２枚の横フィン４１，４３のみから前可動ルーバ４を構成することにより、スリット状の空気吹出口２の形状を、より短手方向に短く細長に形成することができる。
【００５４】
図７，８は第３実施形態のレジスタを示している。この例では、上記の奥可動ルーバ６に代えて１枚の奥フィン８１からなる奥可動ルーバ８がケース本体１内の通風路３の上流側に配設される。上記と同様な部分については、図７，８に上記と同じ符号を付してその説明を省略する。
【００５５】
図７，８に示すように、空気吹出口２の直ぐ内側に配設される前可動ルーバ４は、２枚の横フィン４１、４３を空気吹出口２の長手方向に沿って、上下に所定の間隔をあけて配置し、各横フィン４１、４３の両側から突出した水平方向の支軸４１ａ，４３ａを、ケース本体１の両側壁に、回動可能に軸支して構成される。前可動ルーバ４の各横フィン４１，４３は、回動機構４６により、上下方向に回動し、奥可動ルーバ８と協働して上下短手方向に風向を変えるようになっている。
【００５６】
前可動ルーバ４の回動機構４６は、手動操作によるリンク機構、歯車機構、或いはモータ駆動機構により構成され、上記と同様に、空気吹出口２の前方に真直ぐ送風を行なうとき、上下の横フィン４１，４３を内側凹部４４，４５に収納された状態とし、風向を下方に向けるとき、図７のように、上の横フィン４１を内側凹部４４より内側に出して斜め下方に向け、風向を上方に向けるときには、図８のように、下の横フィン４３を内側凹部４５より内側に出して斜め上方に向けるように構成される。
【００５７】
前可動ルーバ４の上流側に配設される後可動ルーバ５は、多数の縦フィン５１を長手方向に間隔をおいて並設してなり、多数の縦フィン５１は、上下に突設した支軸５１ａを、通風路３の上側壁と下側壁に設けた軸孔に嵌合し、回動可能に軸支される。後可動ルーバ５は上記と同様に、回動機構５６によってそれらの縦フィン５１を左右に振り風向を左右に変えるように動作する。
【００５８】
さらに、後可動ルーバ５の直ぐ上流側の通風路３内に、１枚の奥フィン８１のみからなる奥可動ルーバ８が、前可動ルーバ４と協働して上下短手方向に風向を変えるように配設される。奥可動ルーバ８の奥フィン８１は、空気吹出口２の長手方向（水平横方向）に沿って長尺の横長形状に形成され、その両側端部に支軸８１ａが突設され、ケース本体１の両側壁部に設けた軸孔に、支軸８１ａが嵌合するなどの形態で、通風路３内で上下に回動可能に軸支される。
【００５９】
奥可動ルーバ８の回動機構８６は、操作ノブの操作に応じて奥フィン８１を回動させるリンク機構、或いはモータ駆動機構により構成され、送風方向を下方に変える場合、奥フィン８１の下流側先端部を、送風方向とは逆の、斜め上方に向くように回動させ、送風方向を上方に変える場合、奥フィン８１の下流側先端部を、斜め下方に向くように回動させるように構成される。
【００６０】
上記構成のレジスタは、送風方向を下方に変える場合、図７のように、前可動ルーバ４の横フィン４１，４３を下方に回動させ、奥可動ルーバ８の奥フィン８１の下流側先端部を、斜め上方に向くように回動させる。
【００６１】
これにより、通風路３を流れる空気流は、図７のように、奥可動ルーバ８の奥フィン８１により短手方向の斜め上方に曲げられて縮流され、縮流された状態で後可動ルーバ５の縦フィン５１の間を通過し、そこで後可動ルーバ５の向きに応じて長手方向（左右方向）に風向を変え、その状態で、空気流は次に前可動ルーバ４の横フィン４１，４３の間を通り、短手方向の斜め下方に偏向されて曲げられ、空気吹出口２から送風される。
【００６２】
一方、送風方向を上方に変える場合、図８のように、前可動ルーバ４の横フィン４１，４３を上方に回動させ、奥可動ルーバ８はその奥フィン８１の下流側先端部を下方に向くように回動させる。
【００６３】
これにより、通風路３を流れる空気流は、図８のように、奥可動ルーバ８の奥フィン８１により短手方向の斜め下方に曲げられて縮流され、縮流された状態で後可動ルーバ５の縦フィン５１の間を通過し、そこで後可動ルーバ５の向きに応じて長手方向（左右方向）に風向を変え、その状態で、空気流は次に前可動ルーバ４の横フィン４１，４３の間を通り、短手方向の斜め上方に偏向されて曲げられ、空気吹出口２から送風される。
【００６４】
このように、短手方向（上下方向）に風向を変える変流部は、上記と同様、奥可動ルーバ８の部分が縮流部となり、前可動ルーバ４の部分が偏向部となって、風向を短手方向の斜め下方または上方に曲げる際の変流動作は、奥可動ルーバ８による縮流と前可動ルーバ４による偏向に分割されることとなる。このために、空気流が後可動ルーバ５から前可動ルーバ４を通過する際、縮流（圧縮された空気の流れ）が減少し、それにより、後可動ルーバ５を回動して風向を左右長手方向に変える際、風向が縮流により戻される現象が低減される。
【００６５】
図９，１０は、第４実施形態のレジスタを示し、この例では、上記の前可動ルーバ４に代えて、空気吹出口２の直ぐ内側の上部と下部に、山形凸条１１，１２が空気吹出口２の長手方向に沿って設けられる。
【００６６】
このレジスタの空気吹出口２は、横長で上下幅の短い薄型レジスタの空気吹出口として形成され、上部と下部の山形凸条１１，１２は空気吹出口２の上下の両内側面に長手方向に沿って形成され、各山形凸条１１、１２の高さは、この図面の実施形態では、空気吹出口２の高さ（縦方向の短辺の長さ）の約９％となっており、空気吹出口２の高さによっては、その高さの約７〜１２％とすることができる。
【００６７】
また、上部と下部の山形凸条１１、１２には、その上流側に傾斜面１１ａ，１２ａが形成されている。この山形凸条１１、１２の上流側の傾斜面１１ａ，１２ａは、各々、その傾斜方向を後可動ルーバ５の縦フィン５１に向けて形成されており、この実施形態の傾斜面１１ａ，１２ａの水平線に対する傾斜角度は、ここでは約４５°に設定されるが、空気吹出口２の高さ（短手方向の長さ）によっては、約３５°〜５５°に設定することができる。
【００６８】
山形凸条１１と山形凸条１２は、図９、１０に示すように、空気吹出口２の直ぐ内側面の対向した上部と下部に、空気吹出口２の横方向中央線に対し対称形に形成される。さらに、山形凸条１１と山形凸条１２は、同一横断面を持ってその長手方向に連続して形成されている。
【００６９】
他方、山形凸条１１，１２の下流側の面つまりレジスタの正面側の面は、前方に向けて広がるように、つまり前斜め上方と前斜め下方に向けて広がるように開口し、上部と下部の前方傾斜面１１ｂ、１２ｂとして形成されている。この山形凸条１１と山形凸条１２は、図９、１０に示すように、奥可動ルーバ８の奥フィン８１の下流側先端を、上方或いは下方に向けたとき、空気吹出口２から吹き出される空気流の方向を下方或いは上方に曲げるように作用する。
【００７０】
つまり、奥可動ルーバ８の奥フィン８１の下流側先端を上側（斜め上方）に向けた場合、図９のように、通風路３を流れる空気流は、その上壁面近傍に沿って流れ、上側の山形凸条１１の傾斜面１１ａに当たって下方に曲げられ、斜め下方に送風されるようなっている。他方、奥フィン８１の下流側先端を下側（斜め下方）に向けた場合、図１０のように、通風路３を流れる空気流は、その下壁面近傍に沿って流れ、下側の山形凸条１２の傾斜面１２ａに当たって上方に曲げられ、斜め上方に送風されるようなっている。また、斜め下方または斜め上方の送風時には、前方に向けて広がるように開口した前方傾斜面１１ｂ、１２ｂにより風が良好にガイドされ、風の指向性が開口部の縁で乱されることなく、送風されるようになっている。
【００７１】
奥可動ルーバ８の回動機構８６は、上記と同様に、操作ノブの操作に応じて奥フィン８１を回動させるリンク機構、或いはモータ駆動機構により構成され、送風方向を下方に変える場合、奥フィン８１の下流側先端部を、送風方向とは逆の、斜め上方に向くように回動させ、送風方向を上方に変える場合、奥フィン８１の下流側先端部を、斜め下方に向くように回動させるように構成される。
【００７２】
上記構成のレジスタは、送風方向を下方に変える場合、図９のように、上記と同様、奥可動ルーバ８の奥フィン８１の下流側先端部を、送風方向とは逆の、斜め上方に向くように回動させる。
【００７３】
これにより、通風路３を流れる空気流は、図９のように、奥可動ルーバ８の奥フィン８１により短手方向の斜め上方に曲げられて縮流され、縮流された状態で後可動ルーバ５の縦フィン５１の間を通過し、そこで後可動ルーバ５の向きに応じて長手方向（左右方向）に風向を変え、その状態で、通風路３を流れる空気流は、その上壁面近傍に沿って流れ、上側の山形凸条１１の傾斜面１１ａに当たって下方に曲げられ、空気吹出口２から斜め下方に送風される。
【００７４】
一方、送風方向を上方に変える場合、図１０のように、奥可動ルーバ８の奥フィン８１を、その下流側先端部を下方に向くように回動させる。
【００７５】
これにより、通風路３を流れる空気流は、図１０のように、奥可動ルーバ８の奥フィン８１により短手方向の斜め下方に曲げられて縮流され、縮流された状態で後可動ルーバ５の縦フィン５１の間を通過し、そこで後可動ルーバ５の向きに応じて長手方向（左右方向）に風向を変え、その状態で、通風路３を流れる空気流は、その下壁面近傍に沿って流れ、下側の山形凸条１２の傾斜面１２ａに当たって上方に曲げられ、空気吹出口２から斜め上方に送風される。
【００７６】
このように、短手方向（上下方向）に風向を変える変流部は、上記と同様、奥可動ルーバ８の部分が縮流部となり、山形凸条１１，１２の部分が偏向部となって、風向を短手方向の斜め下方または上方に曲げる際の変流動作は、奥可動ルーバ８による縮流と山形凸条１１，１２による偏向に分割されることとなる。このために、空気流が後可動ルーバ５から山形凸条１１，１２を通過する際、縮流（圧縮された空気の流れ）が減少し、それにより、後可動ルーバ５を回動して風向を左右長手方向に変える際、風向が縮流により戻される現象が低減される。
【００７７】
このため、長手方向に長く短手方向に短い細長の空気吹出口２を有したレジスタであっても、奥可動ルーバ８の向きを短手方向に振った状態で、後可動ルーバ５の向きを長手方向に振ったとき、縮流により風が戻されることがなく、後可動ルーバ５の向きに応じて風向を良好に変え、風の指向性を向上させることができる。
【００７８】
なお、上記実施形態では、横長の空気吹出口２を有したレジスタについて、前可動ルーバ４に横フィン４１，４２，４３を設け、後可動ルーバ５に縦フィン５１を設けるなどして構成したが、それらを９０度回転させた状態として、縦長の薄型レジスタに適用することもでき、縦長の薄型レジスタの場合、縦に細長い形状の空気吹出口を設けると共に、前可動ルーバに縦フィンを設け、後可動ルーバに横フィンを並設し、或いは縦長の空気吹出口の内側の左右両側に、前可動ルーバに代えて山形凸条を設けるように構成することもできる。この場合、奥可動ルーバの奥フィンは前可動ルーバの縦フィン或いは山形凸条と同じ縦方向となる。
【符号の説明】
【００７９】
１      ケース本体
２      空気吹出口
３      通風路
４      前可動ルーバ
５      後可動ルーバ
６      奥可動ルーバ
８      奥可動ルーバ
１１    山形凸条
１１ａ  傾斜面
１１ｂ  前方傾斜面
１２    山形凸条
１２ａ  傾斜面
４１    横フィン
４１ａ  支軸
４２    横フィン
４３    横フィン
４４    内側凹部
４５    内側凹部
５１    縦フィン
５１ａ  支軸
５１ｂ  クランク
５１ｃ  連結軸
５１ｄ  リンクバー
６１    第１奥フィン
６１ａ  支軸
６２    第２奥フィン
６２ａ  支軸
６３    内側凹部
６４    内側凹部
７０    ケース本体
７１    通風路
７２    空気吹出口
７３    前可動フィン
７４    後可動フィン
８１    奥フィン
８１ａ  支軸
【図１】
0006012131.tif 000002
【図２】
0006012131.tif 000003
【図３】
0006012131.tif 000004
【図４】
0006012131.tif 000005
【図５】
0006012131.tif 000006
【図６】
0006012131.tif 000007
【図７】
0006012131.tif 000008
【図８】
0006012131.tif 000009
【図９】
0006012131.tif 000010
【図１０】
0006012131.tif 000011
【図１１】
0006012131.tif 000012